(57)【要約】【課題】ねじを用いることなく、適度な「あがき硬さ」が得られると共に、長期間の使用に際しても安定した「あがき硬さ」を得ることができる眼鏡の丁番構造を提供する。【解決手段】合口を有するリム１２０の上側端に固設される上側部材１３０と、該リムの下側端に固設される下側部材１４０と、これらを突合せ状態で締着するねじ２００と、上側部材及び下側部材に回動可能に取り付けられるテンプル１７０とを備える眼鏡の丁番構造において、テンプルの端部１７０Ａに穿設された孔１７０Ｂに挿通される頭付枢軸１８０と、その脚部に装着される座金１９０とを有し、上側部材及び下側部材には、それらの突合せ状態で、テンプルの端部１７０Ａを所定の力でもって頭付枢軸の頭部１８０Ａと座金１９０とで挟持するように、頭付枢軸及び座金を収容する収容部が形成されている。【選択図】図７
2008233199.tif 000002
【特許請求の範囲】
【請求項１】
合口を有するリムの上側端に固設される上側部材と、該リムの下側端に固設される下側部材と、上側部材及び下側部材を突合せ状態で締着する締着手段と、上側部材及び下側部材に回動可能に取り付けられるテンプルとを備える眼鏡の丁番構造において、
前記テンプルの端部に穿設された孔に挿通される頭付枢軸と、該頭付枢軸の脚部に装着される座金とを有し、
前記上側部材及び前記下側部材には、それらの突合せ状態で、前記テンプルの端部を所定の力でもって前記頭付枢軸の頭部と前記座金とで挟持するように、前記頭付枢軸及び座金を収容する収容部が形成されていることを特徴とする眼鏡の丁番構造。
【請求項２】
前記上側部材に形成される収容部は、順に、前記頭付枢軸の頭部を収容する有底の頭部収容部及び前記テンプル端部の約上半分の厚みを収容する上テンプル収容部であり、前記下側部材に形成される収容部は、順に前記テンプル端部の約下半分の厚みを収容する下テンプル収容部、前記座金を収容する座金収容部及び前記頭付枢軸の脚部を収容する脚部収容部であることを特徴とする請求項１に記載の眼鏡の丁番構造。
【請求項３】
前記上テンプル収容部及び下テンプル収容部は、前記頭付枢軸の軸線回りに約９０度に亘り形成されていることを特徴とする請求項１又は２に記載の眼鏡の丁番構造。
【請求項４】
前記座金は弾性材で形成されていることを特徴とする請求項１ないし３のいずれかに記載の眼鏡の丁番構造。
【発明の詳細な説明】
【技術分野】
【０００１】
本発明は、眼鏡の丁番構造、特に合口を有するリムを備える眼鏡に用いられて好適な眼鏡の丁番構造に関する。
【背景技術】
【０００２】
一般に、眼鏡の丁番は、例えば、上下二股に形成された孔付のヨロイ端部に孔が形成されたテンプル端部が挿入され、これらが支軸用のねじを用いて連結されることにより構成されている。そして、これらにおけるテンプルの開閉時の硬さ、いわゆる「あがき硬さ」は支軸用のねじの締付け具合で調整するようにされている。例えば、特許文献１参照。
【０００３】
【特許文献１】実用新案登録第３００７８４６号公報
【発明の開示】
【発明が解決しようとする課題】
【０００４】
しかしながら、かかる従来の眼鏡の丁番構造においては、支軸用のねじの締付け具合で「あがき硬さ」を調整するようにしているので、使用の際に、ねじの緩みや締まり過ぎが生じ、テンプルのガタ付や開閉が困難になるという不都合があった。また、最悪の場合には支軸用のねじが脱落し、眼鏡の正常な使用が困難になるという問題もあった。
【０００５】
本発明の目的は、かかる事情に鑑み、支軸用のねじを用いることなく、適度な「あがき硬さ」が得られると共に、長期間の使用に際しても安定した「あがき硬さ」を得ることができる眼鏡の丁番構造を提供することにある。
【課題を解決するための手段】
【０００６】
上記目的を達成する本発明の一形態にかかる眼鏡の丁番構造は、合口を有するリムの上側端に固設される上側部材と、該リムの下側端に固設される下側部材と、上側部材及び下側部材を突合せ状態で締着する締着手段と、上側部材及び下側部材に回動可能に取り付けられるテンプルとを備える眼鏡の丁番構造において、
前記テンプルの端部に穿設された孔に挿通される頭付枢軸と、該頭付枢軸の脚部に装着される座金とを有し、前記上側部材及び前記下側部材には、それらの突合せ状態で、前記テンプルの端部を所定の力でもって前記頭付枢軸の頭部と前記座金とで挟持するように、前記頭付枢軸及び座金を収容する収容部が形成されていることを特徴とする。
【０００７】
上記構成によれば、テンプルの端部に穿設された孔に頭付枢軸が挿通され、さらに該頭付枢軸の脚部に座金が装着される。そして、この頭付枢軸の脚部に座金が装着されたテンプルの端部は、上側部材及び下側部材に形成された収容部に収容される。かかる状態で上側部材及び下側部材が締着手段により締着されると、それらの突合せ状態で、テンプルの端部は所定の力でもって頭付枢軸の頭部と座金とで挟持される。したがって、テンプルの端部はねじを用いることなく、上側部材及び下側部材に回動可能に取り付けられ、しかもその回動の際に、所定の力でもって挟持されているので、適度な「あがき硬さ」が得られると共に、長期間の使用に際しても安定した「あがき硬さ」を得ることができる。
【０００８】
ここで、前記上側部材に形成される収容部は、順に、前記頭付枢軸の頭部を収容する有底の頭部収容部及び前記テンプル端部の約上半分の厚みを収容する上テンプル収容部であり、前記下側部材に形成される収容部は、順に前記テンプル端部の約下半分の厚みを収容する下テンプル収容部、前記座金を収容する座金収容部及び前記頭付枢軸の脚部を収容する脚部収容部であることが好ましい。
【０００９】
この構成によれば、丁番の支軸である頭付枢軸の頭部が眼鏡の上方からは見えないので、ファッション性に優れた眼鏡の丁番を得ることができる。また、頭付枢軸の頭部及び脚部を頭部収容部及び脚部収容部で確実に保持することができるので、枢軸のぐら付きが防止され、テンプルの滑らかな回動を得ることができる。
【００１０】
また、前記上テンプル収容部及び下テンプル収容部は、前記頭付枢軸の軸線回りに約９０度に亘り形成されていることが好ましい。
【００１１】
この構成によれば、テンプルの開時及び閉時における回動範囲の制限機構を容易に得ることができる。
【００１２】
さらに、前記座金は弾性材で形成されていることが好ましい。
【００１３】
この構成によれば、上側部材及び下側部材の突合せ状態で、所定の力がでるように座金の弾性係数及び変形量を設定すればよいので、設計が容易である。
【発明を実施するための最良の形態】
【００１４】
以下、本発明の実施の形態を、添付図面を参照しつつ説明する。なお、本明細書の記述において、「前後」、「左右」および「上下」等の方向を表す表現は、眼鏡が通常の状態で人に装着されているときの方向を表している。
【００１５】
本発明の実施形態に係る丁番構造を備えた眼鏡１００は、図１（Ａ）ないし（Ｃ）に示すように、一対の左右のレンズ１１０と、該一対のレンズの周囲をそれぞれ保持する一対の金属製のリム１２０とを備えている。そして、該リム１２０は合口を有しており、合口を形成しているリムの上側端に上側部材１３０が固設され、該リムの下側端に下側部材１４０が固設されている。これらの上側部材１３０及び下側部材１４０が、後述するように、突合せ状態でねじにより締結されて一体化され、いわゆるヨロイ１５０を構成している。なお、１６０は一対の金属製のリム１２０を連結しているブリッジ、１７０は本発明に係る丁番構造によりヨロイ１５０に開閉可能に連結されたテンプルである。
【００１６】
上側部材１３０は、図２（Ａ）、（Ｂ）及び図４（Ａ）、（Ｂ）に示すように、その外観形状がほぼ湾曲直方体状の基体部１３１を有し、該基体部１３１は、リム１２０に対し、その長辺が左右方向に延在する形態で一端部において溶接等により固設されている。上側部材１３０の基体部１３１にはその下側に平坦な突合せ面１３２が形成されており、さらに、該突合せ面１３２から突出する形態で位置合わせ用の長円体状の突部１３３が形成されている。そして、上側部材１３０の基体部１３１及び突部１３３には、両者を貫通してねじ孔１３４が形成されている。また、突部１３３に隣接した位置には、後述する頭付枢軸の頭部を収容する円柱状で有底の頭部収容部１３５及びテンプル端部の約上半分の厚みを収容する上テンプル収容部１３６が形成されている。この上テンプル収容部１３６は立壁１３６Ａ及び１３６Ｂで画成され、頭付枢軸の軸線回りに約９０度に亘り形成されており、後述のように、テンプル１７０の回動範囲を規制している。
【００１７】
下側部材１４０は、図３（Ａ）、（Ｂ）及び図５（Ａ）、（Ｂ）に示すように、上側部材１３０と同様に、その外観形状がほぼ湾曲直方体状の基体部１４１を有し、該基体部１４１は、リム１２０に対し、その長辺が左右方向に延在する形態で一端部において溶接等により固設されている。下側部材１４０の基体部１４１にはその上側に平坦な突合せ面１４２が形成されており、さらに、該突合せ面１４２から陥凹する形態で位置合わせ用の長円体状の陥凹部１４３が形成されている。そして、下側部材１４０の基体部１４１にはこの陥凹部１４３に連通して、後述する締着手段としてのねじの挿通孔１４４及びねじの頭部収容部１４５が形成されている。また、陥凹部１４３に隣接した位置には、上述した上テンプル収容部１３６に鏡面対称の関係でテンプル端部の約下半分の厚みを収容する下テンプル収容部１４６が形成されている。この下テンプル収容部１４６も立壁１４６Ａ及び１４６Ｂで画成され、頭付枢軸の軸線回りに約９０度に亘り形成されており、前述のように、テンプル１７０の回動範囲を規制している。さらに、下テンプル収容部１４６に連通して、後述する座金を収容する円柱状の座金収容部１４７及び上述の頭付枢軸の脚部を収容する脚部収容部１４８が形成されている。
【００１８】
次に、図６（Ａ）及び（Ｂ）を参照して、テンプル１７０を回動可能に支承する頭付枢軸１８０と、その脚部に装着される座金１９０について説明する。本実施形態における頭付枢軸１８０は、円錐台状の頭部１８０Ａ、胴部１８０Ｂ及び該胴部１８０Ｂより細径の脚部１８０Ｃを備えて形成され、胴部１８０Ｂの外径がテンプル１７０の平板状の端部１７０Ａに穿設された孔１７０Ｂの内径とほぼ等しくなるようにされている。一方、本実施形態における座金１９０は、ほぼ碗状であり、底の中心に頭付枢軸１８０の脚部１８０Ｃの外径とほぼ等しい内径の挿通孔１９０Ａが形成されている。なお、座金１９０は、後述するように、上側部材１３０及び下側部材１４０の突合せ状態でテンプル１７０の平板状の端部１７０Ａを所定の力で押圧するように、弾性材（例えば、洋白）で形成されるのが好ましい。
【００１９】
上記本発明の実施形態にあっては、次の手順により眼鏡１００が組立られ、完成されることになる。まず、図６（Ｂ）に示すように、テンプル１７０の端部１７０Ａに穿設された孔１７０Ｂに頭付枢軸１８０が挿通され、さらに該頭付枢軸１８０の脚部１８０Ｃに座金１９０の挿通孔１９０Ａが嵌挿されて装着される。なお、このとき脚部１８０Ｃの先端部を変形させるようにすると、座金１９０の脱落が防止されるので、後の作業が楽になる。
【００２０】
そして、リム１２０が合口で開かれた状態でレンズ１１０が装着され、頭付枢軸１８０の脚部１８０Ｃに座金１９０が装着され、上述の図６（Ｂ）に示す状態にあるテンプル１７０の端部１７０Ａが、上側部材１３０及び下側部材１４０に形成された収容部に収容される。この場合、まず、上側部材１３０に形成された有底の頭部収容部１３５に頭付枢軸１８０の頭部を収容すると共に、上テンプル収容部１３６にテンプル端部１７０Ａの約上半分を収容する。そしてこの状態で、上側部材１３０の突部１３３を下側部材１４０の陥凹部１４３に嵌入させて、上側部材１３０及び下側部材１４０を互いに仮の突合せ状態とする。すると、テンプル端部１７０Ａの約下半分が下側部材１４０に形成されている下テンプル収容部１４６に収容されると共に、座金１９０及び頭付枢軸１８０の脚部１８０Ｃがそれぞれ座金収容部１４７及び脚部収容部１４８に収容される。
【００２１】
そこで、かかる上側部材１３０及び下側部材１４０の仮の突合せ状態で、締着手段としてのねじ２００が下側部材１４０の挿通孔１４４を通して、上側部材１３０の基体部１３１及び突部１３３に形成されているねじ孔１３４にねじ込まれ、かくて図７に示すような、上側部材１３０及び下側部材１４０の完全な突合せ状態が得られる。この状態では、ねじ２００の頭部が下側部材１４０の頭部収容部１４５に収容され、外部への露出が防止されている。
【００２２】
なお、上述のねじ２００による締着の過程で、座金１９０は圧縮され、その変形量に応じた所定の力でテンプル１７０の端部１７０Ａを押圧する。換言すると、テンプル１７０の端部１７０Ａは所定の力でもって頭付枢軸１８０の頭部１８０Ａと座金１９０とで挟持される。ここで、座金１９０の弾性係数や座金１９０の変形量を決定する座金収容部１４７の突合せ面１４２からの深さを適宜設定することにより、所望の力、すなわち、適度な「あがき硬さ」とすることができる。
【００２３】
このように本実施の形態によれば、ねじ２００をねじ込むのみで上側部材１３０及び下側部材１４０が締着され、その締着力は丁番の「あがき硬さ」に影響を与えない。したがって、長期間の使用に際しても安定した「あがき硬さ」を得ることができる。しかも、丁番の支軸である頭付枢軸１８０の頭部１８０Ａが眼鏡１００の上方からは見えないので、ファッション性に優れた眼鏡の丁番を得ることができる。また、頭付枢軸１８０の頭部１８０Ａ及び脚部１８０Ｃを頭部収容部１３５及び脚部収容部１４８で確実に保持することができるので、枢軸１８０のぐら付きが防止され、テンプル１７０の滑らかな回動を得ることができる。
【００２４】
一方、レンズ１１０などを交換する必要があるときには、上述の組立手順の場合と逆に行えばよい。
【００２５】
以上、本発明の好ましい実施の形態につき説明したが、本発明は上記実施の形態に限定されるものではない。すなわち、実施の形態に示されたねじなどの取り付け方向は逆にして採用することも可能である。例えば、ねじ２００のねじ込み方向、枢軸１８０の配置方向などは逆にしてもよい。また、上記実施の形態では、上側部材１３０の頭部収容部１３５のみを有底としたが、下側部材１４０の脚部収容部１４８をも有底とすれば、丁番の支軸が眼鏡１００の上下方から見えなくなるので、さらにファッション性に優れた眼鏡とすることができる。
【図面の簡単な説明】
【００２６】
【図１】本発明にかかる丁番構造の一実施形態を用いた眼鏡を示し、（Ａ）は正面図、（Ｂ）は平面図、（Ｃ）は側面図である。
【図２】本発明の一実施の形態に係る丁番構造の上側部材を示し、（Ａ）は側面図、（Ｂ）は底面図である。
【図３】本発明の一実施の形態に係る丁番構造の下側部材を示し、（Ａ）は平面図、（Ｂ）は側面図である。
【図４】本発明の一実施の形態に係る丁番構造の上側部材とリムとの関係を示し、（Ａ）は底面図、（Ｂ）は（Ａ）の４Ｂ−４Ｂ線に沿う断面図である。
【図５】本発明の一実施の形態に係る丁番構造の下側部材とリムとの関係を示し、（Ａ）は平面図、（Ｂ）は（Ａ）の５Ｂ−５Ｂ線に沿う断面図である。
【図６】本発明の一実施の形態に係る丁番構造の枢軸とテンプルとの関係を示し、（Ａ）は分解一部断面側面図、（Ｂ）は結合状態の一部断面側面図である。
【図７】本発明の一実施の形態に係る丁番構造の結合状態を示す断面図である。
【符号の説明】
【００２７】
１００    眼鏡
１１０    レンズ
１２０    リム
１３０    上側部材
１３１    基体部
１３２    突合せ面
１３３    突部
１３４    ねじ孔
１３５    頭部収容部
１３６    上テンプル収容部
１４０    下側部材
１４１    基体部
１４２    突合せ面
１４３    陥凹部
１４４    （ねじの）挿通孔
１４５    （ねじの）頭部収容部
１４６    下テンプル収容部
１４７    座金収容部
１４８    脚部収容部
１５０    ヨロイ
１６０    ブリッジ
１７０    テンプル
１７０Ａ  端部
１７０Ｂ  孔
１８０    頭付枢軸
１８０Ａ  頭部１８０Ａ
１８０Ｂ  胴部
１８０Ｃ  脚部
１９０    座金
１９０Ａ  挿通孔
２００    ねじ
【図１】
2008233199.tif 000003
【図２】
2008233199.tif 000004
【図３】
2008233199.tif 000005
【図４】
2008233199.tif 000006
【図５】
2008233199.tif 000007
【図６】
2008233199.tif 000008
【図７】
2008233199.tif 000009